(57)【特許請求の範囲】
【請求項１】
矩形枠のベースフレームと矩形枠のトップフレームとを矩形枠の中間フレームの各辺の中央に中央を軸着するクロス支柱で支承し、クロス支柱端部はベースフレームとトップフレームとにスライド係合させ、ベースフレームと中間フレーム間、および／または、トップフレームと中間フレーム間に電動ジャッキを設けたことを特徴とする床の昇降装置。
【請求項２】
クロス支柱端部のベースフレームとトップフレームへのスライド係合はクロス支柱端部にガイドローラを設けて行う請求項１記載の床の昇降装置。
【請求項３】
電動ジャッキは車載用の電動パンタグラフジャッキである請求項１または請求項２記載の床の昇降装置。
【請求項４】
横位置の中心を保持するための横位置保持アームをクロス支柱の１／４の長さとし、これをベースフレームとトップフレームの中央とクロス支柱の端から１／４の所に軸着で架け渡す請求項１および請求項３のいずれかに記載の床の昇降装置。
【発明の詳細な説明】
【技術分野】
【０００１】
本発明は、住宅やレストラン、ミニ集会場等の床で昇降させる昇降装置に関するものである。
【背景技術】
【０００２】
多目的ホール、スタジオだけでなく式場、食堂等で部分的に設けられる可動床として、ブロックごとに独立して当該可動床の高さを調節可能としたもので、可動床を階段状観客席にしたり、ステージにしたり、平床にする他に、ホール内において下段フロアーと上段フロアーとの間に可動床からなる階段を設けたりするなどして、多様性に富んだ床配列を行えるものが下記特許文献１に示すようにある。
【特許文献１】特許第５１６６０８３号公報
【０００３】
この特許文献１は、床を複数の所定形状のブロックに分割し、各ブロックの任意のものを高さ調節可能な昇降手段を備える複数の可動床体としたものである。
【０００４】
このような可動床を構成するものとして、発明者は先に下記特許文献に示すような装置を提案し、特許を取得した。
【特許文献２】特許第６３７６７１２号号公報
【０００５】
前記特許文献２は、ライブハウス・ダンスホール・食事会場等に使用するものとして、観客席として上下に段差をつけるために室内の床を一部可動とするのに、電動ジャッキを使用することで、簡易な動力機構で、構造も複雑ではなく安価に形成できる兼用小規模コンサートホールである。
【０００６】
これは図６〜図９に示すように、ピット２０の底に設けるベースフレーム２１と中間フレーム２２とトップフレーム２３から構成し、トップフレーム２３には仕上げ用床台２６を取り付ける。
【０００７】
ベースフレーム２１はコーナーから柱体による立ち上がり部２７を立設し、ここにステンレス鋼製スライドレールであるスライドレール３１を設けた。また、中間フレーム２２は井桁状に組んだもので、横長の桁材の端部に触れ止め用縦フレーム２８を設ける。トップフレーム２３大引や根太となる桁材を組んだもので、端部に垂下部２９を形成している。
【０００８】
トップフレーム２３に被せる仕上げ用床台２６は可動床部分として一辺が１０００〜１５００ｍｍ（図示では１１５０ｍｍ）の矩形（正方形）平面で、室内の床板の一部を構成するものとして、木製であり、周囲の目隠し用のスカート部２６ａを形成した箱形状のものとしてもよい。
【０００９】
前記電動ジャッキ２４は第１段目の電動ジャッキとして前記ベースフレーム２１に設け、この電動ジャッキ２４で前記中間フレーム２２を昇降自在に支承し、また、電動ジャッキ２５は中間フレーム２２に第２段目の電動ジャッキとして設け、この第２段目の電動ジャッキ２５でトップフレーム２３を昇降自在に支承した。
【００１０】
ここで電動ジャッキ２４の第１段目とは下側に位置するという意味であり、電動ジャッキ２５の第２段目とは第１段目の電動ジャッキ２４に対してその上側に位置するという意味である。
【００１１】
これら電動ジャッキ２４や電動ジャッキ２５の台数には特に限定はないが、左右のバランスを考慮して図示のように２台を並べて設けるのが望ましい。
【００１２】
電動ジャッキ２４や電動ジャッキ２５には車のタイヤ交換などで使用される車載用の電動パンタグラフジャッキを使用した。図示は省略するが、１２Ｖ，１２０ｍｍ〜３７０ｍｍ、最大荷重１．０ｔで、コントローラーを付設している。
【００１３】
さらに、これら車載用の電動パンタグラフジャッキを使用した電動ジャッキ２４や電動ジャッキ２５はボルト・ナット等で取り付けるなどして、交換可能に取り付けるものとした。
【００１４】
また、前記中間フレームの端部に設ける触れ止め用縦フレーム２８にはスライドレール３１を設けてこれをベースフレーム２１の立ち上がり部２７のスライドレール３１と、および、トップフレーム２３の垂下部２９に設けたスライドレール３１と係合させる。
【００１５】
使用法はコントローラ（図示せず）を操作して第１段目の電動ジャッキ２４を駆動して伸長すれば中間フレーム２２が上昇し、第２段目の電動ジャッキ２５を駆動すればトップフレーム２３および仕上げ用床台２６が上昇する。
【００１６】
このようにして可動床部分はせり上がり、前列の非可動床部分の床と段差がつくのでホールのような状態を通り出すことができ、ミニ演奏会を行う場合、もしくは、シアターを設置する場合などに、好適な観客席を作りだすことができる。また、上昇した可動床部分を下降させるには逆の動作を行う。
【発明の概要】
【発明が解決しようとする課題】
【００１７】
前記特許文献２の可動床は、観客席として上下に段差をつけるために室内の床を一部可動とするのに、簡易な動力機構で、構造も複雑ではなく安価に形成できるものであるが、上下複数段に電動ジャッキを設けるもので、最低でも４個の電動ジャッキを必要とし、１台のコントローラーでの操作では駆動差が生じ、アンバランスになるおそれがある。
【００１８】
本発明の目的は前記従来例の不都合を解消し、観客席として上下に段差をつけるために室内の床を一部可動とするのに、多くのジャッキを必要とせず、可動する床位置精度（垂直・水平）を自動的に確保することができるものとしてより、簡易な機構で、構造も複雑ではなく安価に製作できる床の昇降装置を提供することにある。
【課題を解決するための手段】
【００１９】
前記目的を達成するため請求項１記載の本発明は、矩形枠のベースフレームと矩形枠のトップフレームとを矩形枠の中間フレームの各辺の中央に中央を軸着するクロス支柱で支承し、クロス支柱端部はベースフレームとトップフレームとにスライド係合させ、ベースフレームと中間フレーム間、および／または、トップフレームと中間フレーム間に電動ジャッキを設けたことを要旨とするものである。
【００２０】
請求項１記載の本発明によれば、電動ジャッキを駆動してベースフレームと中間フレーム間、もしくはトップフレームと中間フレーム間の間隔を変更させれば、クロス支柱の角度が変化し、それにより、ベースフレームに対して中間フレームが、また、中間フレームに対してトップフレームが上昇したり下降したりし、その結果、トップフレームに設けた床板を上昇したり下降したりすることができる。
【００２１】
このようにクロス支柱を支承部材として用いることで数少ない電動ジャッキで安定した昇降を行うことができる。
【００２２】
主動力可動部を中央一点だけに絞り上下させる。外周フレームはその応力を受動的に受け上下移動させる。四方の外周面にクロス支柱を入れることにより上部フレームと下部フレームがそれぞれ平行に移動する。さらに隣り合わせの辺が結合されていることにより4辺は同じレベルになる。それにより可動床の位置精度を確保することができる。
【００２３】
電動ジャッキという簡易な手段を用いて可動床を昇降できるものであり、電動ジャッキを上下に一段設けた場合に比べて二段設けた場合はクロス支柱に対する負荷を軽減することができ、細い部材のクロス支柱で済むようになる。また、電動ジャッキは２段階に設けることで電動ジャッキ自体の比較的小さなストロークでも可動床としての所望の起伏高さを得ることができる。
【００２４】
このようにして、本発明によれば、床を昇降させることで、ステージと階段状客席による良い形状を得て理想の小規模コンサートホールを形成することができる。
【００２５】
請求項２記載の本発明は、クロス支柱端部のベースフレームとトップフレームへのスライド係合はクロス支柱端部にガイドローラを設けて行うことを要旨とするものである。
【００２６】
請求項２記載の本発明によれば、クロス支柱端部はベースフレームとトップフレームとにスライド係合させるが、その際、ガイドローラにより摩擦抵抗なくスムーズにスライドが可能となる。
【００２７】
請求項３記載の本発明は、電動ジャッキは車載用の電動パンタグラフジャッキであることを要旨とするものである。
【００２８】
請求項３記載の本発明によれば、、車のタイヤ交換などで使用される車載用の電動パンタグラフジャッキ（例えば１２Ｖ，１２０ｍｍ〜３７０ｍｍ、最大荷重１．０ｔ）を用いることで、コントローラーも付設した安価で使い易い電動ジャッキが得られる。
【００２９】
請求項４記載の本発明は、横位置の中心を保持するための横位置保持アームをクロス支柱の１／４の長さとし、これをベースフレームとトップフレームの中央とクロス支柱の端から１／４の所に軸着で架け渡すことを要旨とするものである。
【００３０】
請求項４記載の本発明によれば、クロス支柱端部はベースフレームとトップフレームとにスライド係合させているので、これらベースフレームとトップフレームが横ずれするおそれがあるが、横位置保持アームを設けることで横位置の中心を保持し、横ずれを防止することができる。
【００３１】
特に横位置保持アームをクロス支柱の１／４の長さとしたので、クロス支柱の中央の軸着箇所から端までの軸着箇所までの長さと、横位置保持アームの両端の軸着間の長さは同一のものとなる。その結果、クロス支柱の１／４の長さで形成される辺と横位置保持アームの長さが同じ二等辺三角形を構成でき、垂直の位置（９０°上）を保つことができる。
【発明の効果】
【００３２】
以上述べたように本発明の床の昇降装置は、観客席として上下に段差をつけるために室内の床を一部可動とするのに、多くのジャッキを必要とせず、可動する床位置精度（垂直・水平）を自動的に確保することができるものとしてより、簡易な機構で、構造も複雑ではなく安価に製作できるものである。
【００３３】
また、移動床の位置精度を容易に保持することができる。大型の部材による跳ね出し機構を必要とせず、跳ね出しを少なくできたことにより小型の部材で水平レベルを保持することができ、安価に製作できるものである。
【図面の簡単な説明】
【００３４】
【図１】本発明の床の昇降装置の１実施形態を示す上昇後状態の斜視図である。
【図２】本発明の床の昇降装置の１実施形態を示す上昇前状態の斜視図である。
【図３】本発明の床の昇降装置で電動ジャッキを省略した１実施形態を示す平面図である。
【図４】本発明の床の昇降装置で電動ジャッキを省略した１実施形態を示す側面図である。
【図５】本発明の床の昇降装置で電動ジャッキを省略した１実施形態を示す断面図である。
【図６】従来例を示す兼用小規模コンサートホールの可動床部分の上昇状態の縦断側面図である。
【図７】従来例を示す兼用小規模コンサートホールの可動床部分の横断平面図である。
【図８】従来例を示す兼用小規模コンサートホールの可動床部分の非上昇状態の縦断正面図である。
【図９】従来例を示す兼用小規模コンサートホールの可動床部分の使用状態を示す一部切り欠いた平面図である。
【発明を実施するための形態】
【００３５】
以下、図面について本発明の実施の形態を詳細に説明する。図１は本発明の床の昇降装置の１実施形態を示す上昇後状態の斜視図、図２は同上上昇前状態の斜視図で、金属製のベースフレーム１と中間フレーム２とトップフレーム３から構成し、トップフレーム３には図示は省略するが仕上げ用床台を取り付ける。
【００３６】
図示の例では、ベースフレーム１、中間フレーム２、トップフレーム３は、内側に水平ブレースをクロスさせて配設した矩形枠（正方形枠）であり、ほぼ同一の大きさのものとしたが、特にこれに限定されるものではない。
【００３７】
図中６は２本のバー部材を中央で軸着したクロス支柱で、中間フレーム２の各辺の中央にこのクロス支柱６を軸着し、該クロス支柱６でベースフレーム１とトップフレーム３とを支承する。
【００３８】
クロス支柱６の端部はベースフレーム１とトップフレーム３とにスライド係合させるもので、ベースフレーム１とトップフレーム３の各辺にガイドホールとしてのスリット７を左右に分けて形成し、ここにクロス支柱６の端部に設けたピン８を係合させるとともに、該ピン８を軸としてベアリング内蔵によるガイドローラ９を設けて、このガイドローラ９をベースフレーム１、トップフレーム３の各辺に対して滑動させるようにする。
【００３９】
なお、ベースフレーム１、トップフレーム３の各辺は断面コ字形のチャンネル部材もしくは断面Ｌ字のアングル部材であり、ガイドローラ９を収容するレールとして機能する。
【００４０】
ベースフレーム１と中間フレーム２間、および／または、トップフレーム３と中間フレーム２間に電動ジャッキを設けた。
【００４１】
中間フレーム２もベースフレーム１やトップフレーム３と同じく内側に水平ブレースをクロスさせて配設したものであり、電動ジャッキ４や電動ジャッキ５はこれら水平ブレースの交点である矩形枠の中心に取り付ける。
【００４２】
電動ジャッキ４や電動ジャッキ５には車のタイヤ交換などで使用される車載用の電動パンタグラフジャッキを使用した。図示は省略するが、１２Ｖ，１２０ｍｍ〜３７０ｍｍ、最大荷重１．０ｔで、コントローラーを付設している。
【００４３】
さらに、これら車載用の電動パンタグラフジャッキを使用した電動ジャッキ４や電動ジャッキ５はボルト・ナット等で取り付けるなどして、交換可能に取り付けるものとした。
【００４４】
電動ジャッキ４や電動ジャッキ５は上側の電動ジャッキ４のみを取り付けてもよいが、電動ジャッキ５と合わせて上下段に設けるようにすれば、クロス支柱６にかかる負荷を軽減でき、クロス支柱６を構成するバー部材を細いものとすることができる。
【００４５】
また、横位置の中心を保持するための横位置保持アーム１０をベースフレーム１やトップフレーム３の辺の中央とクロス支柱６の端から１／４の所にピン留めによる軸着で架け渡した。横位置保持アーム１０もバー部材によるものである。
【００４６】
横位置保持アーム１０はクロス支柱６よりも細身のバーによる小アームであるが、クロス支柱６の１／２の軸着部と端部の軸着部間の長さの１/２の箇所に軸着することで、クロス支柱６の１／４の長さと同じ長さの横位置保持アーム１０とすれば、クロス支柱の１／４の長さで形成される辺と横位置保持アームの長さが同じ二等辺三角形を構成でき、垂直の位置（９０°上）を保つことができる。
【００４７】
次に使用法について説明する。本発明の床の昇降装置は可動床を構成するものとして、トップフレーム３に仕上げ用床である床板を取り付けて室内の床の一部として設けるものであり、複数を並べて設けることも可能である。
【００４８】
床レベルは０〜６００ｍｍで、図９にも示すように仕上げ用床の上には観客席となる椅子３０を設置することができる。
【００４９】
コントローラ（図示せず）を操作して第１段目の電動ジャッキ４を駆動して伸長すれば中間フレーム２が上昇し、第２段目の電動ジャッキ５を駆動すればトップフレーム３および仕上げ用床台が上昇する。
【００５０】
この第１段目の電動ジャッキ４と第２段目の電動ジャッキ５は個別に駆動しても、同時に駆動してもよい。
【００５１】
ベースフレーム１と中間フレーム２間、およびトップフレーム３と中間フレーム２間の間隔が広がるにつれ、クロス支柱６は端部がスライドして畳まれる状態になり、Ｘ形状は縦長のものとなる。
【００５２】
その際、横位置保持アーム１０も立ち上がるが、これはクロス支柱６の端部がベースフレーム１やトップフレーム３の辺とスライド自在に係合していることからベースフレーム１やトップフレーム３が横ずれしてしまうのを防ぐものであり、
横位置保持アーム１０の一方の端はベースフレーム１やトップフレーム３の辺の中央に軸着で結合されていることで、横ずれ防止を行うことができる。
【００５３】
このようにして可動床部分はせり上がり、前列の非可動床部分の床と段差がつくのでホールのような状態を通り出すことができ、ミニ演奏会を行う場合、もしくは、シアターを設置する場合などに、好適な観客席を作りだすことができる。
【００５４】
また、上昇した可動床部分を下降させるには逆の動作を行う。
【符号の説明】
【００５５】
１…ベースフレーム                ２…中間フレーム
３…トップフレーム                ４、５…電動ジャッキ
６…クロス支柱                    ７…スリット
８…ピン                          ９…ガイドローラ
１０…横位置保持アーム            ２０…ピット
２１…ベースフレーム              ２２…中間フレーム
２３…トップフレーム              ２４、２５…電動ジャッキ
２６…仕上げ用床台                ２６ａ…スカート部
２７…立ち上がり部                ２８…触れ止め用縦フレーム
２９…垂下部                      ３０…椅子
３１…スライドレール
【要約】
【課題】観客席として上下に段差をつけるために室内の床を一部可動とするのに、多くのジャッキを必要とせず、より、簡易な機構で、構造も複雑ではなく安価に製作できる床の昇降装置を提供する。
【解決手段】矩形枠のベースフレーム１とトップフレーム３とを中間フレーム２に中央を軸着するクロス支柱６で支承し、クロス支柱６の端部はベースフレーム１とトップフレーム３とにスライド係合させ、ベースフレーム１と中間フレーム２間、および／または、トップフレーム３と中間フレーム２間に電動ジャッキ４，５を設けた。
【選択図】図１【図１】
0006892665.tif 000002
【図２】
0006892665.tif 000003
【図３】
0006892665.tif 000004
【図４】
0006892665.tif 000005
【図５】
0006892665.tif 000006
【図６】
0006892665.tif 000007
【図７】
0006892665.tif 000008
【図８】
0006892665.tif 000009
【図９】
0006892665.tif 000010